(57)【要約】【課題】住宅に用いられる多種多様な住宅設備機器自体や住宅設備機器の交換部品の正確な交換時期を把握することができる使用量測定システムを提供する。【解決手段】使用量測定システム２０は給水装置１に用いられる。給水装置１はヘッダー１２，１４と複数の給水管１３，１５を備えている。使用量測定システム２０は流量センサー２１と水圧センサー２２と水質センサー２３とサーバー２７と算出装置３３を備える。流量センサー２１は給水管１３，１５内の水の単位時間当たりの流量を検出する。水圧センサー２２はヘッダー１２，１４内の水圧を検出する。水質センサー２３はヘッダー１２，１４内の水の塩素とカルシウムの濃度を検出する。サーバー２７は流量を示す情報と水圧を示す情報と塩素とカルシウムの濃度を示す情報を記憶する。算出手段３３は流量センサー２１の検出結果に基づき住宅設備機器の水の使用量を算出する。【選択図】図１
2013205392.tif 000002
【特許請求の範囲】
【請求項１】
給水源から水が供給されるヘッダーに一端が接続されかつ他端が住宅内に設置された住宅設備機器に接続して、前記ヘッダーからの水を前記住宅設備機器に供給する複数の給水管のそれぞれに設けられた流量センサーと、
前記流量センサーが検出した各給水管内の水の流量を示す情報を蓄積する蓄積手段と、
前記蓄積手段が蓄積した情報に基づき、前記住宅設備機器の使用量を算出する算出手段と、を備えた使用量測定システムにであって、
前記水の水圧を検出するとともに、検出結果を示す情報が前記蓄積手段に蓄積される水圧センサーと、
前記水の水質を検出するとともに、検出結果を示す情報が前記蓄積手段に蓄積される水質センサーとを、備える、
ことを特徴とする使用量測定システム。
【請求項２】
前記水圧センサーと前記水質センサーが、前記ヘッダーに設けられている、ことを特徴とする請求項１記載の使用量測定システム。
【請求項３】
前記ヘッダーとして、冷水が供給される冷水用ヘッダーと、加熱された水が供給される温水用ヘッダーと、が設けられており、
前記冷水用ヘッダーと前記温水用ヘッダーとに接して設けられ、かつ、前記冷水と前記加熱された水の温度差により発電するペルチェ素子と、
前記流量センサー、前記水圧センサー及び前記水質センサーの検出結果を示す情報を、前記ペルチェ素子の発電した電力を用いて前記蓄積手段に送信する送信機とを、備えることを特徴とする請求項１又は請求項２記載の使用量測定システム。
【発明の詳細な説明】
【技術分野】
【０００１】
本発明は、給水源からの水を一旦ヘッダーに供給してから、このヘッダーから住宅内の住宅設備機器に水などを供給する給水装置の水の使用量を測定する使用量測定システムに関する。
【背景技術】
【０００２】
住宅では、給水源からの水を一旦ヘッダーに供給してから、このヘッダーから住宅内の住宅設備機器に水などを供給する給水装置が用いられている。この種の給水装置は、前述したヘッダーと、複数の給水管とを備えている。給水管は、ヘッダーに一端が接続されかつ他端が住宅内に設置された住宅設備機器に接続して、前記ヘッダーからの水を前記住宅設備機器に供給する。
【０００３】
また、前述した給水装置が設置された住宅には、各住宅設備機器の使用量を測定する使用量測定システムを用いて、省エネルギーを図ることが提案されている。この種の使用量測定システムは、各給水管内の流量を検出する流量センサーと、流量センサーの検出結果を蓄積する蓄積手段などを備えている。使用量測定システムは、蓄積手段が蓄積した各流量センサーの検出結果即ち各住宅設備機器の水の使用量を、住民などに示すことで、水の使用量を抑制して、省エネルギーを図るものである。
【０００４】
また、前述した住宅設備機器は、設置される地域により、使用される水の水質（含有する塩素やカルシウムの濃度）や水圧がばらつくために、その寿命や交換部品の交換時期などを把握することが困難であった。そこで、流量センサーと圧力センサーとを搭載することで、フィルタの交換時期を把握することを可能とした住宅設備機器としての浄水器（特許文献１参照）が提案されている。
【先行技術文献】
【特許文献】
【０００５】
【特許文献１】特許第３６７４９０６号公報
【発明の概要】
【発明が解決しようとする課題】
【０００６】
しかしながら、前述した特許文献１に示された浄水器は、あくまで、浄水器のフィルタのみの交換時期を把握するものであって、住宅設備機器としてのトイレの各バルブや、住宅設備機器としてのキッチン、洗面台や浴室に設けられる水栓装置のパッキンやハンドルやこれらに設けられる各種の継ぎ手の交換時期を把握することが困難であった。即ち、前述した特許文献１に示された発明では、住宅に用いられる多種多様な住宅設備機器自体や住宅設備機器の交換部品の交換時期を把握することが困難であった。
【０００７】
また、前述した特許文献１に示された発明は、使用される水の水質を把握することがないために、正確な交換時期を把握することが困難であった。
【０００８】
本発明は、上記の事情に鑑みてなされたものであって、住宅に用いられる多種多様な住宅設備機器自体や住宅設備機器の交換部品の正確な交換時期を把握することができる使用量測定システムを提供することを目的とする。
【課題を解決するための手段】
【０００９】
上記目的を達成するために、本発明に係る使用量測定システムは、給水源から水が供給されるヘッダーに一端が接続されかつ他端が住宅内に設置された住宅設備機器に接続して、前記ヘッダーからの水を前記住宅設備機器に供給する複数の給水管のそれぞれに設けられた流量センサーと、前記流量センサーが検出した各給水管内の水の流量を示す情報を蓄積する蓄積手段と、前記蓄積手段が蓄積した情報に基づき、前記住宅設備機器の使用量を算出する算出手段と、を備えた使用量測定システムにであって、前記水の水圧を検出するとともに、検出結果を示す情報が前記蓄積手段に蓄積される水圧センサーと、前記水の水質を検出するとともに、検出結果を示す情報が前記蓄積手段に蓄積される水質センサーとを、備えることを特徴とする。
【００１０】
この使用量測定システムでは、ヘッダーとヘッダーからの水を各住宅設備機器に導く給水管とを備えた給水装置に用いられ、水圧センサーと、水質センサーと、これらの検出結果を蓄積する蓄積手段とを備えているので、蓄積手段の蓄積した情報を参照することで、住宅に設置される多種多様な住宅設備機器に供給される水の水圧や水質を把握することができる。したがって、住宅に設置される多種多様な住宅設備機器自体や住宅設備機器の交換部品の正確な交換時期を把握することができる。また、水圧センサーに加えて、水質センサーを備えているので、交換時期を把握する際に、水質も参照することができる。したがって、住宅に設置される多種多様な住宅設備機器自体や住宅設備機器の交換部品の正確な交換時期を把握することができる。
【００１１】
また、前記使用量測定システムは、前記水圧センサーと前記水質センサーが、前記ヘッダーに設けられていることが望ましい。この場合、水圧センサーと水質センサーがヘッダーに設けられているので、各給水管に設ける場合よりも、水圧センサーや水質センサーの数を削減することができる。したがって、使用量測定システムのコストの高騰を抑制することができる。
【００１２】
さらに、前記使用量測定システムは、前記ヘッダーとして、冷水が供給される冷水用ヘッダーと、加熱された水が供給される温水用ヘッダーと、が設けられており、前記冷水用ヘッダーと前記温水用ヘッダーとに接して設けられ、かつ、前記冷水と前記加熱された水の温度差により発電するペルチェ素子と、前記流量センサー、前記水圧センサー及び前記水質センサーの検出結果を示す情報を、前記ペルチェ素子の発電した電力を用いて前記蓄積手段に送信する送信機とを、備えることが望ましい。この場合、冷水用ヘッダーと温水用ヘッダーとに接して設けられたペルチェ素子の発電した電力により水圧センサーや水質センサーの検出結果を示す情報を蓄積手段に送信する。このために、水圧センサーや水質センサーの検出結果を示す情報を蓄積手段に送信するためにかかる電力を抑制でき、省エネルギーを図ることができる。
【発明の効果】
【００１３】
本発明に係る使用量測定システムは、ヘッダーとヘッダーからの水を各住宅設備機器に導く給水管とを備えた給水装置に用いられ、水圧センサーと、水質センサーと、これらの検出結果を蓄積する蓄積手段とを備えているので、住宅に設置される多種多様な住宅設備機器自体や住宅設備機器の交換部品の正確な交換時期を把握することができる。
【図面の簡単な説明】
【００１４】
【図１】図１は、実施形態に係る使用量測定システムを示す概略構成図である。
【図２】図２は、実施形態に係る使用量測定システムが取り付けられる給水装置の冷水用ヘッダーなどを示す概略構成図である。
【図３】図３は、実施形態に係る使用量測定システムの変形例が取り付けられる給水装置の冷水用ヘッダー及び温水用ヘッダーなどを示す概略構成図である。
【発明を実施するための形態】
【００１５】
以下に、本発明に係る給水装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１６】
［実施形態］
図１は、実施形態に係る使用量測定システムを示す概略構成図、図２は、実施形態に係る使用量測定システムが取り付けられる給水装置の冷水用ヘッダーなどを示す概略構成図である。
【００１７】
図１などに示す実施形態の使用量測定システム２０は、給水装置１の水（本明細書では、水、温水や湯などを包括して水と記す）の使用量を測定して、住宅設備機器の使用量を算出するものである。給水装置１は、典型的には、住宅に設置される住宅設備機器に水を供給するものである。なお、本発明でいう住宅設備機器とは、勿論、住宅内に設置されて、この住宅の給水にかかる各種の給水機器などの設備機器をいい、具体的には、トイレ、トイレ手洗、洗面化粧台、浴槽、キッチン、給湯機器、水栓装置などをいう。
【００１８】
図１には、前述した住宅設備機器として、キッチン３、洗面化粧台４、浴槽５、トイレ６、水栓装置１０を示している。キッチン３の水栓装置７、洗面化粧台４の水栓装置８、浴槽５の水栓装置９には、給水源としての上水道１１からの水が給湯器２により所望の温度まで加熱されて、温水又は湯として供給される。また、キッチン３の水栓装置７、洗面化粧台４の水栓装置８、浴槽５の水栓装置９、トイレ６の水栓装置、水栓装置１０には、上水道１１からの水が加熱などされることなく、冷水として供給される。
【００１９】
トイレ６の水栓装置、水栓装置１０には、図示しない流量制御弁が取り付けられているとともに、キッチン３の水栓装置７、洗面化粧台４の水栓装置８、浴槽５の水栓装置９には、図示しない湯水混合弁が取り付けられている。流量制御弁は、トイレ６の水栓装置や水栓装置１０から吐水される水の単位時間当たりの流量を変更・制御する。湯水混合弁は、水栓装置７，８，９から吐水される水と温水や湯との混合比率及びこれらの単位時間当たりの流量を変更・制御する。さらに、トイレ６には、便座を暖める暖房機器が取り付けられている。これらの流量制御弁及び湯水混合弁は、所謂電磁弁である。
【００２０】
給水装置１は、図１に示すように、温水用ヘッダー１２と、温水用ヘッダー１２に一端が接続された複数の給水管１３と、冷水用ヘッダー１４と、冷水用ヘッダー１４に一端が接続された複数の給水管１５とを備えている。
【００２１】
温水用ヘッダー１２には、上水道１１から供給されかつ給湯器２により所望の温度まで加熱された水が供給される。給水管１３は、それぞれ、勿論、キッチン３の水栓装置７、洗面化粧台４の水栓装置８、浴槽５の水栓装置９と１対１で対応しており、一端が温水用ヘッダー１２に接続しかつ他端がキッチン３の水栓装置７、洗面化粧台４の水栓装置８、浴槽５の水栓装置９のいずれかに接続している。給水管１３は、一端が温水用ヘッダー１２に接続しかつ他端がキッチン３の水栓装置７、洗面化粧台４の水栓装置８、浴槽５の水栓装置９のいずれかに接続していることで、温水用ヘッダー１２からの加熱された水をキッチン３の水栓装置７、洗面化粧台４の水栓装置８、浴槽５の水栓装置９のいずれかに供給する。給水管１３の一端には、温水用ヘッダー１２に接続する接続具１３ａが取り付けられている。
【００２２】
温水用ヘッダー１２は、上水道１１から供給されかつ給湯器２により所望の温度まで加熱された水を、給水管１３を通して、キッチン３の水栓装置７、洗面化粧台４の水栓装置８、浴槽５の水栓装置９に供給する。
【００２３】
冷水用ヘッダー１４には、上水道１１からの水（冷水に相当する）が直接供給される。給水管１５は、それぞれ、勿論、キッチン３の水栓装置７、洗面化粧台４の水栓装置８、浴槽５の水栓装置９、トイレ６の水栓装置、水栓装置１０と１対１で対応しており、一端が冷水用ヘッダー１４に接続しかつ他端がキッチン３の水栓装置７、洗面化粧台４の水栓装置８、浴槽５の水栓装置９、トイレ６の水栓装置、水栓装置１０のいずれかに接続している。給水管１５は、一端が冷水用ヘッダー１４に接続しかつ他端がキッチン３の水栓装置７、洗面化粧台４の水栓装置８、浴槽５の水栓装置９、トイレ６の水栓装置、水栓装置１０のいずれかに接続していることで、冷水用ヘッダー１４からの水をキッチン３の水栓装置７、洗面化粧台４の水栓装置８、浴槽５の水栓装置９、トイレ６の水栓装置、水栓装置１０のいずれかに供給する。給水管１５の一端には、冷水用ヘッダー１４に接続する接続具１５ａが取り付けられている。
【００２４】
冷水用ヘッダー１４は、上水道１１から供給された水を、給水管１５を通して、キッチン３の水栓装置７、洗面化粧台４の水栓装置８、浴槽５の水栓装置９、トイレ６の水栓装置、水栓装置１０に供給する。
【００２５】
また、給水管１３，１５は、絶縁性の合成樹脂で構成されて、可撓性を有する円筒状の保護部材１６（図２に示す）内に通されて、保護されている。さらに、ヘッダー１２，１４及び給水管１３，１５は、前述した住宅の床下に配置されている。
【００２６】
前述した給水装置１は、上水道１１からの水を給湯器２で所望の温度まで加熱して、温水用ヘッダー１２及び給水管１３を介して、キッチン３、洗面化粧台４及び浴槽５に供給するとともに、上水道１１からの水を加熱することなく、冷水用ヘッダー１４及び給水管１５を介して、キッチン３、洗面化粧台４、浴槽５、トイレ６及び水栓装置１０に供給する。給水装置１は、湯水混合弁、流量制御弁の開度が変更されて、キッチン３の水栓装置７、洗面化粧台４の水栓装置８、浴槽５の水栓装置９、トイレ６の水栓装置及び水栓装置１０から水を吐水又は止水する。
【００２７】
使用量測定システム２０は、流量センサー２１の検出結果に基き、給水装置１の水の使用量即ち前述した住宅設備機器の水の使用量を算出し、記憶、蓄積するものである。使用量測定システム２０は、図１及び図２に示すように、各給水管１３，１５に設けられた流量センサー２１と、水圧センサー２２と、水質センサー２３と、温度センサー２４と、送信機２５及び受信機２６と、流量センサー２１が検出した各給水管１３，１５内の水の単位時間当たりの流量を示す情報を蓄積する蓄積手段としてのサーバー２７と、サーバー２７に接続した算出手段としての算出装置３３と、サーバー２７が蓄積した情報を外部機器３１へ送信する外部接続装置２９などを備えている。
【００２８】
流量センサー２１は、複数の給水管１３，１５のそれぞれの一端に設けられている。本実施形態では、流量センサー２１は、給水管１３，１５と同数設けられている。流量センサー２１は、給水管１３，１５内の水の単位時間当たりの流量を検出する。
【００２９】
水圧センサー２２、水質センサー２３及び温度センサー２４は、各ヘッダー１２，１４に設けられている。本実施形態では、水圧センサー２２、水質センサー２３及び温度センサー２４は、それぞれ、ヘッダー１２，１４と同数設けられている。水圧センサー２２は、各ヘッダー１２，１４内の水圧を検出する。水質センサー２３は、各ヘッダー１２，１４内の水の水質としての塩素及びカルシウムの濃度を検出する。温度センサー２４は、各ヘッダー１２，１４内の水の温度を検出する。
【００３０】
送信機２５は、各ヘッダー１２，１４に設けられている。本実施形態では、送信機２５は、ヘッダー１２，１４と同数設けられている。送信機２５は、流量センサー２１が水の流量を検出すると、流量センサー２１が検出した水の単位時間当たりの流量を示す情報を受信機２６を介してサーバー２７に送信（無線送信）する。また、送信機２５は、流量センサー２１が水の流量を検出すると、流量を検出した流量センサー２１を設けた給水管１３，１５が接続したヘッダー１２，１４に設けられた水圧センサー２２の検出結果を示す情報、水質センサー２３の検出結果を示す情報、温度センサー２４の検出結果を示す情報を受信機２６を介してサーバー２７に送信（無線送信）する。
【００３１】
サーバー２７は、住宅の適宜箇所に設置されている。サーバー２７には、受信機２６が接続している。サーバー２７は、流量センサー２１が検出した各給水管１３，１５内の水の単位時間当たりの流量を示す情報、水圧センサー２２が検出したヘッダー１２，１４内の水圧を示す情報、水質センサー２３が検出したヘッダー１２，１４内の水の塩素の濃度を示す情報及びカルシウムの濃度を示す情報、温度センサー２４が検出したヘッダー１２，１４内の水の温度を示す情報を、時間とともに記憶、蓄積する。このために、水圧センサー２２の検出結果を示す情報及び水質センサー２３の検出結果を示す情報が、サーバー２７に蓄積される。算出手段３３は、例えばＣＰＵ等で構成された演算処理装置やＲＯＭ、ＲＡＭ等を備える図示しないマイクロプロセッサを主体として構成されたコンピュータである。算出手段３３は、サーバー２７が蓄積した、流量センサー２１が検出した各給水管１３，１５内の水の単位時間当たりの流量を示す情報に基づき、キッチン３、洗面化粧台４、浴槽５、トイレ６及び水栓装置１０の水の使用量を算出する。算出手段３３は、算出したキッチン３、洗面化粧台４、浴槽５、トイレ６及び水栓装置１０の水の使用量を、サーバー２７に書き込む。こうして、サーバー２７は、給水管１３，１５内の水の単位時間当たりの流量を示す情報に基いて算出されたキッチン３、洗面化粧台４、浴槽５、トイレ６及び水栓装置１０の水の使用量を記憶、蓄積する。
【００３２】
また、算出手段３３には、表示手段としての表示端末２８が接続している。表示端末２８は、住宅の適宜箇所に設置されている。表示端末２８は、キッチン３、洗面化粧台４、浴槽５、トイレ６及び水栓装置１０の水の使用量などを表示する。
【００３３】
また、サーバー２７には、外部通信手段としての外部接続装置２９が接続している。外部接続装置２９は、インターネット回線などの住宅の外部の情報回線３０を介して、外部機器３１に接続している。外部機器３１は、前記住宅の外部に存在する機器であって、住宅設備機器に関する各種の情報を収集する機器（例えば、住宅設備機器の製造元のサポートセンサー内の電子機器など）である。外部接続装置２９は、サーバー２７が蓄積、記憶した各種の情報を、情報回線３０を介して外部機器３１に送信する。
【００３４】
外部機器３１は、前述した多種多様な住宅設備機器自体及び住宅設備機器のパッキン、ハンドルやこれらに設けられる各種の継ぎ手などの各種の部品の水圧、流量、温度、水質に応じて定められる耐用期間を記憶している。外部機器３１は、外部接続装置２９を介してサーバー２７から受信した各種の情報に基いて、多種多様な住宅設備機器自体及び住宅設備機器の各種の部品の交換時期を推定することができる。また、外部機器３１は、推定した交換時期を情報回線３０及び外部接続装置２９を介して、サーバー２７に向かって送信し、表示端末２８に表示させることができる。こうして、外部機器３１は、サーバー２７から受信した情報に基いて、住宅設備機器自体、及び住宅設備機器の各種の部品の交換時期を推定し、推定した交換時期をサーバー２７に送信して、表示端末２８に表示させることができる。
【００３５】
前述した使用量測定システム２０は、流量センサー２１の検出結果を示す各給水管１３，１５の水の単位時間当たりの流量を示す情報、水圧センサー２２の検出結果を示す各ヘッダー１２，１４内の水の水圧を示す情報、水質センサー２３の検出結果を示す各ヘッダー１２，１４内の水の水質を示す塩素及びカルシウムの濃度を示す情報、温度センサー２４の検出結果を示す各ヘッダー１２，１４内の水の温度を示す情報を、送受信機２５，２６などを介してサーバー２７が受信する。使用量測定システム２０は、算出手段３３が、キッチン３、洗面化粧台４、浴槽５、トイレ６及び水栓装置１０の水の消費量などを算出して、算出した水の消費量をサーバー２７に書き込んで、サーバー２７が算出した水の消費量を前述した各種の情報とともに記憶、蓄積する。
【００３６】
そして、使用量測定システム２０は、外部接続装置２９及び情報回線３０を介して、サーバー２７に記憶、蓄積した情報を外部機器３１に送信し、外部機器３１からの住宅設備機器自体及び住宅設備機器の各種の部品の交換時期をサーバー２７が受信し、表示端末２８に表示することができる。
【００３７】
上記のように構成された使用量測定システム２０は、ヘッダー１２，１４とヘッダー１２，１４からの水を各住宅設備機器に導く給水管１３，１５とを備えた給水装置１に用いられ、水圧センサー２２と、水質センサー２３と、温度センサー２４と、これらの検出結果を示す情報を蓄積するサーバー２７とを備えている。使用量測定システム２０は、サーバー２７の蓄積した情報を参照することで、住宅に設置される多種多様な住宅設備機器に供給される水の水圧や水質を把握することができる。したがって、住宅に設置される多種多様な住宅設備機器自体や住宅設備機器を構成する各種の部品の正確な交換時期を把握することができる。また、水圧センサー２２に加えて、水質センサー２３を備えているので、交換時期を把握する際に、水質も参照することができる。したがって、住宅に設置される多種多様な住宅設備機器自体や住宅設備機器の交換部品の正確な交換時期を把握することができる。
【００３８】
また、水圧センサー２２と水質センサー２３とをヘッダー１２，１４に設けているので、各給水管１３，１５に設ける場合よりも、水圧センサー２２や水質センサー２３の数を削減することができる。したがって、使用量測定システム２０のコストの高騰を抑制することができる。さらに、サーバー２７に蓄積された水圧センサー２２及び水質センサー２３の検出結果を含んだ情報を、外部接続装置２９及び情報回線３０を介して、外部機器３１に送信するので、外部機器３１において、各住宅設備機器自体及び住宅設備機器を構成する各種の部品の正確な交換時期を把握することができる。さらに、外部機器３１から各住宅設備機器自体及び住宅設備機器を構成する各種の部品の正確な交換時期を表示端末２８に表示させることができる。
【００３９】
［変形例］
次に、前述した実施形態に係る使用量測定システムの変形例を図面に基いて説明する。なお、前述した実施形態と同一部分には、同一符合を付して説明を省略する。図３は、実施形態に係る使用量測定システムの変形例が取り付けられる給水装置の冷水用ヘッダー及び温水用ヘッダーなどを示す概略構成図である。
【００４０】
本変形例では、給水装置１の温水用ヘッダー１２は、冷水用ヘッダー１４に間隔をあけて重ねられて配置されている。そして、使用量測定システム２０は、図３に示すように、冷水用ヘッダー１４と温水用ヘッダー１２とに接して設けられたペルチェ素子３２を備えている。ペルチェ素子３２は、冷水用ヘッダー１４内の冷水と温水用ヘッダー１２内の加熱された水の温度差により発電する。ペルチェ素子３２は、ヘッダー１２，１４内の水の温度差により発電した電力を、各ヘッダー１２，１４に設けられた送信機２５に供給する。本変形例では、送信機２５は、ペルチェ素子３２の発電した電力を用いて、受信機２６を介してサーバー２７に前述した情報を送信する。
【００４１】
本変形例によれば、前述した実施形態の効果に加えて、ペルチェ素子３２の発電した電力により水圧センサー２２や水質センサー２３の検出結果を示す情報などをサーバー２７に送信するために、水圧センサー２２や水質センサー２３の検出結果を示す情報などをサーバー２７に送信するためにかかる電力を抑制でき、省エネルギーを図ることができる。
【００４２】
また、前述した実施形態及び変形例において、流量センサー２１が、給水管１３，１５内を通る水が衝突する羽根車と、この羽根車に設けられた図示しないロータと、給水管１３，１５の内壁面などに固定された図示しないステータとを備えても良い。この場合、羽根車は、給水管１３，１５内に回転自在に設けられており、給水管１３，１５内を通る水の流れにより羽根車が回転される。ロータは、羽根車に取り付けられて、この羽根車とともにステータに対して回転する。流量センサー２１は、羽根車が前述した水の流れによって回転して、ロータがステータに対して回転することで発電する。そして、流量センサー２１は、発電して得た電力を送信機２５に供給する。この場合、水圧センサー２２や水質センサー２３の検出結果を示す情報などをサーバー２７に送信するためにかかる電力をより確実に抑制でき、省エネルギーをより確実に図ることができる。
【００４３】
なお、上述した本発明に係る使用量測定システム１は、上述した実施形態及び変形例に限定されず、特許請求の範囲に記載された範囲で種々の変更が可能である。
【符号の説明】
【００４４】
３  キッチン（住宅設備機器）
４  洗面化粧台（住宅設備機器）
５  浴槽（住宅設備機器）
６  トイレ（住宅設備機器）
１０  水栓装置（住宅設備機器）
１１  上水道（給水源）
１２  温水用ヘッダー（ヘッダー）
１３，１５  給水管
１４  冷水用ヘッダー（ヘッダー）
２０  使用量測定システム
２１  流量センサー
２２  水圧センサー
２３  水質センサー
２５  送信機
２７  サーバー（蓄積手段）
２９  外部接続装置
３１  外部機器
３２  ペルチェ素子
３３  算出装置（算出手段）
【図１】
2013205392.tif 000003
【図２】
2013205392.tif 000004
【図３】
2013205392.tif 000005